(57)【要約】【課題】冗長なデータを増加させることなく、簡易な構成で、データ全体のエラー訂正効率を上げる。【解決手段】ＲＳ訂正用パリティを付けてＴＳ形式で送信されるＴＳＰに予め既知の固定値が含まれているデジタル放送システムの受信端末装置において、誤り訂正回路１４４にて、送信側から送られてきたＴＳＰをいったんメモリＡ１３に格納し、ＴＳ識別回路Ａ１４でＴＳの種類を識別し、予めＴＳの種類に対応する固定値が格納された変換テーブルＡ１１１〜Ａ１１ｎから該当するテーブルの格納データを選択し、書換処理回路１４２でメモリＡ１３に格納されたＴＳＰ内の固定値を強制的に書き換えてＲＳ訂正回路１４５に送ることにより、ＴＳＰ全体の訂正効率を上げる。【選択図】      図４
2005130277.tif 000002
【特許請求の範囲】
【請求項１】
トランスポートストリーム（以下、ＴＳ）を構成し、それぞれリードソロモン（以下、ＲＳ）訂正用パリティが付加された複数のトランスポートストリームパケット（以下、ＴＳＰ）を伝送するシステムの受信端末装置に用いられ、
前記ＴＳＰ内の特定領域に配置される値を格納する格納手段と、
受信復調されたＴＳＰ内の特定領域を前記格納手段に格納される値に強制的に書き換える書換処理手段と、
前記特定領域の値が書き換えられたＴＳＰについてＲＳ訂正を施すＲＳ訂正手段とを具備したことを特徴とする誤り訂正装置。
【請求項２】
トランスポートストリーム（以下、ＴＳ）を構成し、それぞれリードソロモン（以下、ＲＳ）訂正用パリティが付加された複数のトランスポートストリームパケット（以下、ＴＳＰ）を情報チャンネルに割り当てて放送信号を生成し、この放送信号を所定のサービスエリアに向けて送信する放送システムの受信端末装置に用いられ、
前記ＴＳＰ内の特定領域に配置される値を格納する格納手段と、
前記放送信号から受信復調された情報チャネルのＴＳＰ内の特定領域を前記格納手段に格納される値に強制的に書き換える書換処理手段と、
前記特定領域の値が書き換えられたＴＳＰについてＲＳ訂正を施すＲＳ訂正手段とを具備したことを特徴とする誤り訂正装置。
【請求項３】
前記放送システムが放送番組を構成する複数種類のＴＳをそれぞれ複数のＴＳＰに分割し複数の情報チャネルに割り当てて多重伝送する方式であるとき、
前記格納手段は、前記ＴＳの種類それぞれに対応する値を格納し、
前記書換処理手段は、受信復調されたＴＳＰのＴＳの種類を識別し、識別された種類に対応する値を前記格納手段から選択的に読み出し、この読み出された値に前記ＴＳＰ内の特定領域を強制的に書き換えることを特徴とする請求項２記載の誤り訂正装置。
【請求項４】
前記放送システムが、受信側の信号処理制御を目的として前記複数の情報チャネルで伝送されるＴＳの固有構成情報が含まれるパイロットデータを生成し、このパイロットデータを前記情報チャネルとは独立したパイロットチャネルに割り当てて前記複数の情報チャネルと多重伝送する方式であるとき、
前記格納手段は、前記パイロットデータの特定領域の値を格納し、
前記書換処理手段は、受信復調されたパイロットデータに対応する値を前記格納手段から読み出し、この読み出された値に前記パイロットデータ内の特定領域を強制的に書き換え、
前記ＲＳ訂正手段は、前記特定領域の値が書き換えられたパイロットデータについてＲＳ訂正を施すことを特徴とする請求項３記載の誤り訂正装置。
【請求項５】
前記書換処理手段は、さらに前記特定領域の値が書き換えられたＴＳＰについてＲＳ訂正が可能か不可かを検出する訂正可否検出手段と、前記ＲＳ訂正が可能である場合には前記ＲＳ訂正手段の訂正結果を選択出力し、前記ＲＳ訂正が不可である場合には前記書換後のＴＳＰをそのまま選択出力する選択手段とを備えることを特徴とする請求項１または２記載の誤り訂正装置。
【請求項６】
前記格納手段は、さらに、前記受信復調された訂正対象のＴＳＰ以外のＴＳＰにおける特定領域の値を解析する解析手段を備え、この解析手段の解析結果に基づいて格納値を書き換えることを特徴とする請求項１または２記載の誤り訂正装置。
【請求項７】
前記解析手段は、前記同種のＴＳ毎にＴＳＰ内の特定領域の値を解析することを特徴とする請求項６記載の誤り訂正装置。
【請求項８】
前記格納手段は、さらに、前記ＲＳ訂正手段でＲＳ訂正されたＴＳＰについてＴＳの種類を識別してその特定領域の値を蓄積し、同種のＴＳＰ間で過去規定個数の値を多数決により確定し、確定した値に格納値を更新することを特徴とする請求項３記載の誤り訂正装置。
【請求項９】
前記書換処理手段は、前記受信復調されたＴＳＰとＴＳ識別により選択された値とを比較し、比較の結果、一致個数がＲＳ訂正可能な規定個数以上か否かに応じて、書換前のＴＳＰと書換後のＴＳＰを選択出力することを特徴とする請求項１または２記載の誤り訂正装置。
【請求項１０】
放送番組を構成する複数種類のトランスポートストリーム（以下、ＴＳ）を分割し、それぞれにリードソロモン（以下、ＲＳ）訂正用パリティを付加した複数のトランスポートストリームパケット（以下、ＴＳＰ）を複数の情報チャンネルに割り当てて多重することで放送信号を生成し、この放送信号を所定のサービスエリアに向けて送信する放送システムの受信端末装置に用いられ、
前記放送システムが、受信側の信号処理制御を目的として前記複数の情報チャネルで伝送されるＴＳの固有構成情報が含まれるパイロットデータを生成し、このパイロットデータを前記情報チャネルとは独立したパイロットチャネルに割り当てて前記複数の情報チャネルと多重伝送する方式であるとき、
前記放送信号から受信復調されたパイロットチャネルからパイロットデータを抽出し、前記ＴＳの固有構成情報を読み出して各情報チャネルで伝送されるＴＳそれぞれの固有構成情報を解析する解析手段と、
前記放送信号から受信復調された複数の情報チャネルそれぞれのＴＳＰについて前記解析手段の解析結果に基づいて特定領域の値を強制的に書き換える書換処理手段と、
前記特定領域の値が書き換えられたＴＳＰについてＲＳ訂正を施すＲＳ訂正手段とを具備したことを特徴とする誤り訂正装置。
【請求項１１】
トランスポートストリーム（以下、ＴＳ）を構成し、それぞれリードソロモン（以下、ＲＳ）訂正用パリティが付加された複数のトランスポートストリームパケット（以下、ＴＳＰ）を伝送するシステムの受信端末装置に用いられ、
前記ＴＳＰ内の特定領域に配置される値を格納する格納ステップと、
受信復調されたＴＳＰ内の特定領域を前記格納ステップに格納される値に強制的に書き換える書換処理ステップと、
前記特定領域の値が書き換えられたＴＳＰについてＲＳ訂正を施すＲＳ訂正ステップとを具備したことを特徴とする誤り訂正方法。
【請求項１２】
トランスポートストリーム（以下、ＴＳ）を構成し、それぞれリードソロモン（以下、ＲＳ）訂正用パリティが付加された複数のトランスポートストリームパケット（以下、ＴＳＰ）を情報チャンネルに割り当てて放送信号を生成し、この放送信号を所定のサービスエリアに向けて送信する放送システムの受信端末装置に用いられ、
予め前記ＴＳＰ内の特定領域に配置される値を格納する格納ステップと、
前記放送信号から受信復調された情報チャネルのＴＳＰ内の特定領域を前記格納値に強制的に書き換える書換処理ステップと、
前記特定領域の値が書き換えられたＴＳＰについてＲＳ訂正を施すＲＳ訂正ステップとを備えることを特徴とする誤り訂正方法。
【請求項１３】
前記放送システムが放送番組を構成する複数種類のＴＳをそれぞれ複数のＴＳＰに分割し複数の情報チャネルに割り当てて多重伝送する方式であるとき、
前記格納ステップは、前記ＴＳの種類それぞれに対応する値を格納し、
前記書換処理ステップは、受信復調されたＴＳＰのＴＳの種類を識別し、識別された種類に対応する値を前記格納ステップから選択的に読み出し、この読み出された値に前記ＴＳＰ内の特定領域を強制的に書き換えることを特徴とする請求項１２記載の誤り訂正方法。
【請求項１４】
前記放送システムが、受信側の信号処理制御を目的として前記複数の情報チャネルで伝送されるＴＳの固有構成情報が含まれるパイロットデータを生成し、このパイロットデータを前記情報チャネルとは独立したパイロットチャネルに割り当てて前記複数の情報チャネルと多重伝送する方式であるとき、
前記格納ステップは、前記パイロットデータの特定領域の値を格納し、
前記書換処理ステップは、受信復調されたパイロットデータに対応する値を前記格納手段から読み出し、この読み出された値に前記パイロットデータ内の特定領域を強制的に書き換え、
前記ＲＳ訂正手段は、前記特定領域の値が書き換えられたパイロットデータについてＲＳ訂正を施すことを特徴とする請求項１３記載の誤り訂正方法。
【請求項１５】
前記書換処理ステップは、さらに前記特定領域の値が書き換えられたＴＳＰについてＲＳ訂正が可能か不可かを検出する訂正可否検出ステップと、前記ＲＳ訂正が可能である場合には前記ＲＳ訂正ステップの訂正結果を選択出力し、前記ＲＳ訂正が不可である場合には前記書換後のＴＳＰをそのまま選択出力する選択ステップとを備えることを特徴とする請求項１１または１２記載の誤り訂正方法。
【請求項１６】
前記格納ステップは、さらに、前記受信復調された訂正対象のＴＳＰ以外のＴＳＰにおける特定領域の値を解析する解析ステップを備え、この解析ステップの解析結果に基づいて格納値を書き換えることを特徴とする請求項１１または１２記載の誤り訂正方法。
【請求項１７】
前記解析ステップは、前記同種のＴＳ毎にＴＳＰ内の特定領域の値を解析することを特徴とする請求項１６記載の誤り訂正方法。
【請求項１８】
前記格納ステップは、さらに、前記ＲＳ訂正ステップでＲＳ訂正されたＴＳＰについてＴＳの種類を識別してその特定領域の値を蓄積し、同種のＴＳＰ間で過去規定個数の値を多数決により確定し、確定した値に格納値を更新することを特徴とする請求項１３記載の誤り訂正方法。
【請求項１９】
前記書換処理ステップは、前記受信復調されたＴＳＰとＴＳ識別により選択された値とを比較し、比較の結果、一致個数がＲＳ訂正可能な規定個数以上か否かに応じて、書換前のＴＳＰと書換後のＴＳＰを選択出力することを特徴とする請求項１１または１２記載の誤り訂正方法。
【請求項２０】
放送番組を構成する複数種類のトランスポートストリーム（以下、ＴＳ）を分割し、それぞれにリードソロモン（以下、ＲＳ）訂正用パリティを付加した複数のトランスポートストリームパケット（以下、ＴＳＰ）を複数の情報チャンネルに割り当てて多重することで放送信号を生成し、この放送信号を所定のサービスエリアに向けて送信する放送システムの受信端末装置に用いられ、
前記放送システムが、受信側の信号処理制御を目的として前記複数の情報チャネルで伝送されるＴＳの固有構成情報が含まれるパイロットデータを生成し、このパイロットデータを前記情報チャネルとは独立したパイロットチャネルに割り当てて前記複数の情報チャネルと多重伝送する方式であるとき、
前記放送信号から受信復調されたパイロットチャネルからパイロットデータを抽出し、前記ＴＳの固有構成情報を読み出して各情報チャネルで伝送されるＴＳそれぞれの固有構成情報を解析する解析ステップと、
前記放送信号から受信復調された複数の情報チャネルそれぞれのＴＳＰについて前記解析ステップの解析結果に基づいて特定領域の値を強制的に書き換える書換処理ステップと、
前記特定領域の値が書き換えられたＴＳＰについてＲＳ訂正を施すＲＳ訂正ステップとを具備したことを特徴とする誤り訂正方法。
【発明の詳細な説明】
【技術分野】
【０００１】
本発明は、例えば移動体向けデータ放送システム等に用いられるマルチメディア受像端末装置に係り、特にＭＰＥＧ２システムズによる多重方式で伝送する際にデータエラーが発生した時にエラー訂正の効率を上げるための誤り訂正装置及び誤り訂正方法に関する。
【背景技術】
【０００２】
近時、実用化に向けて開発されているＳバンドを用いた移動体向けデータ放送システム（特許文献１参照）では、伝送方式にＣＤＭ（Code Division Multiplex：符号分割多重）方式を採用し、マルチメディア多重方式としてＭＰＥＧ２（Moving Picture Experts Group phase 2）システムズ方式の採用を予定している。
【０００３】
このような移動体向けデータ放送システムでは、固定受信システムと異なり、受信データに多数のエラーが発生する。そこで、情報データと一緒に冗長なデータ（パリティ）を送信することで、受信側の受信データに対するエラー訂正能力を強化している。但し、パリティのデータ量を多くすればそれだけ訂正能力は向上するが、伝送帯域を圧迫して情報データ量を制限してしまうことを考慮しなければならない。このことから、例えば、2.6GHz帯衛星デジタル音声放送システムでは、放送チャンネルデータにおいて、188byteの１ＴＳＰ（Transport Stream Packet）に16byteのパリティを付加することにしている。
【０００４】
上記システムの受信側のエラー訂正方式としては、ＲＳ（リードソロモン符号化）訂正が採用される。このＲＳ訂正はパリティの半分、すなわち８個まで誤り訂正が可能であり、パリティ相当のデータ量までエラー検出が可能である。したがって、上記の例ではパリティを含めた204byte中８個までのエラー訂正が可能であり、１６個までのエラー検出が可能である。
【０００５】
しかしながら、上記ＲＳ訂正では、パリティのデータ量を超えるエラーが発生した場合に、誤訂正を生じてしまう。上記の例では、１７個以上誤りがあった場合に誤訂正が生じることになる。エラー訂正できなったＴＳＰはデコーダ等で処理する際に音声／映像の破綻の原因になる。通信では、エラー訂正不能のＴＳＰを送信元に再送要求することが可能であるが、放送ではこのような手法がとれないため、エラー訂正能力の向上が強く望まれる。
【特許文献１】特開平１０−３０８６９５号公報
【発明の開示】
【発明が解決しようとする課題】
【０００６】
本発明は上記事情によりなされたもので、その目的とするところは、冗長なデータを増加させることなく、簡易な構成で、データ全体のエラー訂正効率を上げることのできる誤り訂正装置及び誤り訂正方法を提供することにある。
【課題を解決するための手段】
【０００７】
上記の目的を達成するために本発明に係る誤り訂正装置及び誤り訂正方法は、ＴＳを構成し、それぞれＲＳ訂正用パリティが付加された複数のＴＳＰを伝送するシステムの受信端末装置に用いられ、予め前記ＴＳＰ内の特定領域に配置される値を格納しておき、受信復調されたＴＳＰ内の特定領域を前記格納値に強制的に書き換えた後に、そのＴＳＰについてＲＳ訂正を施すことを特徴とする。
【０００８】
特に上記システムが放送システムであり、放送番組を構成する複数種類のＴＳをそれぞれ複数のＴＳＰに分割し複数の情報チャネルに割り当てて多重伝送する方式であるとき、前記格納値として、前記ＴＳの種類それぞれに対応する値を格納しておき、前記書換処理は、受信復調されたＴＳＰのＴＳの種類を識別し、識別された種類に対応する格納値を選択的に読み出し、この読み出された値に前記ＴＳＰ内の特定領域を強制的に書き換えることを特徴とする。
【０００９】
このように、訂正対象とするＴＳＰのデータ内で予め受信側で既知の特定領域の値を強制的に本来の値に書き換えたあとにＲＳ訂正を行うことにより、データ全体の訂正効率を上げることができる。
【発明の効果】
【００１０】
本発明によれば、冗長なデータを増加させることなく、簡易な構成で、データ全体のエラー訂正効率を上げることのできる誤り訂正装置及び誤り訂正方法を提供することができる。
【発明を実施するための最良の形態】
【００１１】
以下、図面を参照して本発明の実施の形態について詳細に説明する。
【００１２】
本発明に係る誤り訂正回路の説明に先立ち、この誤り訂正回路を適用する2.6GHz帯衛星デジタル音声放送システムの伝送フォーマットの構成について、図１及び図２を参照して説明する。
【００１３】
上記放送システムは、複数のチャネルを符号分割多重（ＣＤＭ）した放送方式を採用し、ＭＰＥＧ２システムズ規格に基づいて番組を構成する映像、音声、データの各ビットストリームをＴＳに変換した後、複数のＴＳＰに分割し、複数のＣＤＭチャネルに割り当てて伝送する。この際、受信側でこれら複数のＣＤＭチャネルを関連付け、ＣＤＭチャネル上で分割伝送されるＴＳＰからＥＳ（エレメンタリ・ストリーム）を生成するために必要な情報をパイロットチャネルで伝送する。また、伝送に際してフェージングやバーストに対処するため、放送信号にはバイトインターリーブ、ビットインターリーブが施されている。また、不正な受信を排除するために、スクランブルがかけられている。
【００１４】
上記ＴＳＰのフォーマット構造は、図１に示すように、情報格納領域188byteにＲＳ訂正用パリティ16byteが付加されている。また、情報格納領域にはヘッダ領域4byteが確保され、その先頭の1byteが0x47の固定値となっている。
【００１５】
上記パイロットチャネルのフォーマット構造は、図２に示すように、第１乃至第６３のＣＤＭチャネルそれぞれにおける個別構成情報（7byte）が配列される。尚、図示しないが、各チャネル共通の受信機起動時付加情報も配列される。これらの情報はパイロット情報と称される。
【００１６】
上記ＣＤＭチャネルの個別構成情報としては、パイロットチャネル以外のＣＤＭチャネルの伝送パラメータ（インターリーブモード（4bit）、畳み込みモード（4bit））、そのＣＤＭチャネル上で伝送されるＴＳの識別コードＴＳ＿ＩＤ（16bit）、ＴＳＰのＩＤ（ＰＩＤ）の範囲（ＰＩＤ最小値（13bit）、ＰＩＤ最大値（13bit）、バージョン番号（3bit）)、リザーブ（3bit）等が示されている。また、図示しないが、受信機起動時付加情報としては、種別、地域識別情報、ＴＳ＿ＩＤ、プログラム番号等が示されている。
【００１７】
上記パイロットチャネルは、ＣＤＭチャネルの一つとして多重伝送されるが、他のＣＤＭチャネルより３ｄＢほど高く設定され、他のチャネルに比して受信感度が高く、誤り耐性が強いという特性を有している。
【００１８】
図３は、上記放送システムの受信端末装置の構成を示すブロック図である。図３（ａ）において、図示しない衛星から送られてくる放送信号は、受信アンテナ１１で受信され、チューナ１２でベースバンドに周波数変換された後、ＣＤＭ復調回路１３で各ＣＤＭチャネルのＴＳＰが復調される。復調されたＴＳＰは誤り訂正回路１４で訂正が施された後、デスクランブル回路１５でデスクランブル処理され、デコーダ１６で映像データと音声データがデコードされる。
【００１９】
図３（ｂ）は、本発明に係る誤り訂正回路１４の構成を示すもので、ＣＤＭ復調回路１３で復調されたＴＳＰは、ビットインターリーブ回路１４１でビット単位のデインターリーブが施され、ビタビ訂正回路１４２で畳み込み符号の復号処理がなされた後、バイトインターリーブ回路１４３でバイト単位のデインターリーブが施される。そして、本発明の特徴とするデータ書換回路１４４によってＴＳＰ中の固定値が強制的に書き換えられた後、ＲＳ訂正回路１４５でＲＳ訂正がなされる。
【００２０】
すなわち、本発明の特徴とする点は、バイトインターリーブの後でかつＲＳ訂正を行う前に、データ書換回路１４４を追加し、この回路１４４で固定値を書き換えた後にＲＳ訂正処理を実施することによって訂正効率を上げることにある。
【００２１】
具体的には、図１に示したように、ＴＳＰは188yteの情報データに16byteのパリティが付加されている。188yteの情報データは4byteの固定ヘッダがついており、かつ先頭の1byteは0x47で常に固定である。そこで、復調されたＴＳＰの先頭1byteを強制的に0x47に書き換える。これにより、見かけ上ＲＳ訂正能力が向上することになる。
【００２２】
以下、上記データ書換回路１４４の構成について、実施形態をあげて説明する。
【００２３】
（第１実施形態）
図４は上記データ書換回路１４４の第１実施形態の構成を示すブロック図である。変換テーブルＡ１１にはＴＳＰ先頭1byteの固定値である0x47が格納されており、書換処理回路Ａ１２にて、バイトインターリーブ回路１４３からのＴＳＰの先頭1byteを、データ誤りの有無にかかわらず、強制的に0x47に書き換える。
【００２４】
（第２実施形態）
図５は上記データ書換回路１４４の第２実施形態の構成を示すブロック図である。尚、図５において、図４と同一部分には同一符号を付して示す。ここでは、複数種類のＴＳＰを処理する場合を想定する。
【００２５】
バイトインターリーブされたＴＳＰは、いったんメモリＡ１３に蓄積され、同時にＴＳ識別回路Ａ１４に入力される。一方、複数種類のＴＳそれぞれに対応する書換データを格納するためのＮ個の変換テーブルＡ１１１〜Ａ１１ｎを備え、ＴＳ識別回路Ａ１４で識別されたＴＳの種類によって変換テーブルＡ１１ｉ（ｉは１〜ｎのいずれか）をセレクタＡ１５で選択し、書換処理回路Ａ１２にてメモリＡ１３に蓄積されたＴＳＰの所定データを書き換える。
【００２６】
すなわち、上記ＴＳＰには、音声、映像、データといったＴＳの種類に応じて、規定位置に種別コードが挿入されている。そこで、変換テーブルＡ１１１〜Ａ１１ｎに予めＴＳの種類に対応する種別コードを格納しておき、ＴＳ識別回路Ａ１４で識別されたＴＳ種類に応じてセレクタＡ１５を切り換え、対応する変換テーブルＡ１１ｉの格納データによりＴＳＰの種別コードを書き換えてＲＳ訂正回路１４５に渡す。これにより、ＲＳ訂正回路１４５の見かけ上の訂正能力を向上させることができる。
【００２７】
尚、本実施形態において、第１実施形態と同様に、ヘッダ領域の先頭1byteの固定値も合わせて書き換えるようにすれば、いっそう効果的である。
【００２８】
（第３実施形態）
図６は上記データ書換回路１４４の第３実施形態の構成を示すブロック図である。尚、図６において、図４、図５と同一部分には同一符号を付して示す。
【００２９】
この実施形態では、第２実施形態の構成において、書換処理回路Ａ１２の処理データをＲＳ訂正回路１４５に送ると共に、遅延メモリＡ１６でＲＳ訂正回路１４５の処理時間相当遅延させ、また、誤り検出回路Ａ１７にてＴＳＰ中の誤りがＲＳ訂正回路１４５の訂正能力以上であるか否かを検出し、訂正能力以上であることが検出された場合には、セレクタＡ１８にて遅延メモリＡ１６からのＲＳ訂正がなされていないＴＳＰを選択出力する。また、ＲＳ訂正回路１４５の訂正許容内ならば、ＲＳ訂正回路１４５のＲＳ訂正がなされたＴＳＰを選択出力する。
【００３０】
すなわち、本実施形態では、強制的にデータが書き換えられたＴＳＰに対してＲＳ訂正したものとＲＳ訂正しないものを用意し、ＴＳＰを誤り検出して訂正不可能な誤り数だった場合はＲＳ訂正しないＴＳＰを出力し、訂正可能な誤り数だった場合はＴＳＰを出力するようにしている。この構成によれば、誤り数が訂正不可能なＴＳＰをＲＳ訂正することで生じる誤訂正を防止することができる。
【００３１】
（第４実施形態）
図７は上記データ書換回路１４４の第４実施形態の構成を示すブロック図である。尚、図７において、図４、図５と同一部分には同一符号を付して示す。
【００３２】
この実施形態では、第２実施形態の構成において、バイトデインターリーブ回路１４３からシリアルで出力されるＴＳＰをシリアル／パラレル変換回路Ａ１９に入力し、パケット単位でパラレル出力する。また、ターゲットとなるＴＳＰはメモリＡ１３に格納すると共にＴＳ識別回路Ａ１４に送る。
【００３３】
上記パラレル出力のＴＳＰ１〜ＴＳＰｘは、それぞれＴＳ解析回路Ａ１９１〜Ａ１９ｘに入力され、ＴＳＰ内の固定値が解析される。解析結果は、ＴＳＰの種類に対応する変換テーブルＡ１１１〜Ａ１１ｎに格納され、これによって各変換テーブルＡ１１１〜Ａ１１ｎは逐次最新の固定値に更新される。
【００３４】
ＴＳ識別回路Ａ１４で識別されたＴＳＰの種類により、セレクタＡ１５から該当する変換テーブルＡ１１ｉの格納データが選択出力され、メモリＡ１３に書き込まれたＴＳＰの固定値が最新の値で書き換えられてＲＳ訂正回路１４５に送られる。よって、本実施形態の構成によれば、より多くの固定値の書き換えが可能であり、その結果、ＲＳ訂正の見かけ上の訂正能力をいっそう向上させることができる。
【００３５】
（第５実施形態）
図８は上記データ書換回路１４４の第５実施形態の構成を示すブロック図である。尚、図８において、図４、図５、図７と同一部分には同一符号を付して示す。
【００３６】
この実施形態では、第２実施形態の構成において、バイトデインターリーブ回路１４３からシリアルで出力されるＴＳＰをメモリＡ１１に格納すると共にＴＳ識別回路Ａ１４に送る。また、各ＴＳＰをｘ個のＴＳ解析回路Ａ１９１〜Ａ１９ｘにも入力する。これらのＴＳ解析回路Ａ１９１〜Ａ１９ｘは、それぞれ順次入力されるＴＳＰの種類を判別し、該当する種類のＴＳＰ内の固定値を解析する。解析結果は、ＴＳＰの種類に対応する変換テーブルＡ１１１〜Ａ１１ｎに格納され、これによって、各変換テーブルＡ１１１〜Ａ１１ｎは、第４実施形態と同様に、逐次最新の固定値に更新される。ターゲットとなるＴＳＰの固定値書換処理は、第２実施形態と同様である。
【００３７】
（第６実施形態）
図９は上記データ書換回路１４４の第６実施形態の構成を示すブロック図である。尚、図９において、図４、図５と同一部分には同一符号を付して示す。
【００３８】
本実施形態では、ＲＳ訂正回路１４５から出力されるＴＳＰをＴＳ識別回路Ａ２０に入力する。このＴＳ識別回路Ａ２０は、ＴＳの種類を識別してその種類ごとに時間的に変化するパラメータを抽出し、過去規定個数の同種ＴＳＰのパラメータと多数決をとり、規定の割合以上のパラメータは正しいと推定して、対応するＴＳ種類の変換テーブルＡ１１ｉの格納データを書き換える。
【００３９】
一方、入力側のＴＳ識別回路Ａ１４でＴＳの種類が識別され、この識別結果に基づいてセレクタＡ１５にて対応する変換テーブルＡ１１ｉに格納されたパラメータが選択され、書換処理回路Ａ１２にてメモリＡ１３から読み出されるＴＳＰのパラメータが書き換えられる。
【００４０】
ここで、比較回路Ａ２１にて、メモリＡ１３に格納されるＴＳＰのパラメータと選択されたパラメータとが比較され、その比較結果に基づいてセレクタＡ２２により書換前のＴＳＰと書換後のＴＳＰが選択的にＲＳ訂正回路１４５に送られる。すなわち、入力ＴＳＰ中のパラメータと比較対象のパラメータとの一致個数がＲＳ訂正可能な規定個数以上あるときは書換前のＴＳＰをＲＳ訂正回路１４５に送り、規定個数に満たない場合には書換後のＴＳＰをＲＳ訂正回路１４５に送る。
【００４１】
本実施形態の構成によれば、ＴＳの種類に応じて時間的に変化するＴＳＰのパラメータを取り出して書換対象のデータを逐次最新のデータに置き換えているため、より多くの固定値書き換えを行うことができ、これによって訂正能力の向上をいっそう高めることができる。また、入力ＴＳＰのパラメータにおいて、書換対象のパラメータとの一致個数がＲＳ訂正可能な規定個数以上か否かに応じて、書換前のＴＳＰと書換後のＴＳＰとを選択するようにしているので、強制的な書き換えが必要最低限となり、信頼性の向上に寄与することができる。
【００４２】
（第７実施形態）
図１０は上記データ書換回路１４４の第７実施形態の構成を示すブロック図である。本実施形態では、バイトインターリーブ回路１４３にてチャネル毎にＴＳ１〜ＴＳｎ、パイロットデータが取り出せるものとする。各チャネルのＴＳ１〜ＴＳｎはそれぞれパケット単位でメモリＡ１３１〜Ａ１３ｎに格納され、パイロットチャネルのパイロットデータはパイロット解析回路Ａ２３に入力される。
【００４３】
前述のように、パイロットデータ（情報）には、各ＣＤＭチャネルそれぞれにおける個別構成情報が配列されており、しかもパイロットチャネルは誤り耐性が強く、信号レベルも他の情報チャネルに比べて高い（一般に３ｄＢ）という特性を有する。そこで、パイロット解析回路Ａ２３にてパイロットデータの個別構成情報を解析し、各チャネルのＴＳＰにおける固定値を抽出して、メモリＡ１３１〜Ａ１３ｎに格納された対応するチャネルのＴＳＰを書換処理回路Ａ１２１〜Ａ１２ｎにて書き換える。
【００４４】
本実施形態の構成では、パイロット情報を利用しているため、より多くの固定値書き換えが可能であり、これによって見かけ上のＲＳ訂正能力をよりいっそう高めることができる。
【００４５】
尚、以上の実施形態は2.6GHz帯衛星デジタル音声放送システムの受信端末装置に適用した場合であるが、本発明はこれに限定されるものではなく、ＲＳ訂正用パリティを付けてＴＳ形式で送信されるＴＳＰに予め既知の固定値が含まれている種々のデジタル放送システムに適用可能である。
【図面の簡単な説明】
【００４６】
【図１】本発明が適用される2.6GHz帯衛星デジタル音声放送システムのＴＳＰフォーマット構造を示す図。
【図２】上記放送システムのパイロットチャネルのフォーマット構造を示す図。
【図３】上記放送システムの受信端末装置の構成と、この装置に本発明に係る誤り訂正回路を適用した場合の実施形態の構成を示すブロック図。
【図４】図３に示す誤り訂正回路における第１の実施形態の構成を示すブロック図。
【図５】図３に示す誤り訂正回路における第２の実施形態の構成を示すブロック図。
【図６】図３に示す誤り訂正回路における第３の実施形態の構成を示すブロック図。
【図７】図３に示す誤り訂正回路における第４の実施形態の構成を示すブロック図。
【図８】図３に示す誤り訂正回路における第５の実施形態の構成を示すブロック図。
【図９】図３に示す誤り訂正回路における第６の実施形態の構成を示すブロック図。
【図１０】図３に示す誤り訂正回路における第７の実施形態の構成を示すブロック図。
【符号の説明】
【００４７】
１１…受信アンテナ、１２…チューナ、１３…ＣＤＭ復調回路、１４…誤り訂正回路、１４１…ビットインターリーブ回路、１４２…ビタビ訂正回路、１４３…バイトインターリーブ回路、１４４…データ書換回路、１４５…ＲＳ訂正回路、１５…デスクランブル回路、１６…デコーダ、Ａ１１，Ａ１１１〜Ａ１１ｎ…変換テーブル、Ａ１２，Ａ１２１〜Ａ１２ｎ…書換処理回路、Ａ１３，Ａ１３１〜Ａ１３ｎ…メモリ、Ａ１４…ＴＳ識別回路、Ａ１５…セレクタ、Ａ１６…遅延メモリ、Ａ１７…誤り検出回路、Ａ１８…セレクタ、Ａ１９１〜Ａ１９ｘ…ＴＳ解析回路、Ａ２０…ＴＳ識別回路、Ａ２１…比較回路、Ａ２２…セレクタ。
【図１】
2005130277.tif 000003
【図２】
2005130277.tif 000004
【図３】
2005130277.tif 000005
【図４】
2005130277.tif 000006
【図５】
2005130277.tif 000007
【図６】
2005130277.tif 000008
【図７】
2005130277.tif 000009
【図８】
2005130277.tif 000010
【図９】
2005130277.tif 000011
【図１０】
2005130277.tif 000012